(57)【特許請求の範囲】
【請求項１】
テンションメンバー（１）と、該テンションメンバーの周囲に固設され、外周面（２ｂ）に心線収納溝（２ａ）が形成されたスロット（２）と、該スロットの周囲を被覆するシース（３）と、前記心線収納溝に配され、該心線収納溝の端から導出され、端部にコネクタ（５）が装着された心線（６）とを備えるコネクタ付き光ケーブル（５０）において、前記テンションメンバー及び前記シースに端部部品（２０）が装着されたコネクタ付き光ケーブルの端部構造であって、前記コネクタ付き光ケーブルの端部に露出されたスロットに、前記テンションメンバーに固定されたフィルム巻回部（５１）が設けられ、前記フィルム巻回部の外周面には、両面に滑り止め加工が施された滑り止めフィルム（５２）が巻回され、巻回によって複数層とされた前記滑り止めフィルムの層間に、前記心線が挟持されていることを特徴とするコネクタ付き光ケーブルの端部構造。
【請求項２】
前記フィルム巻回部が、前記スロットの外周面から前記心線収納溝を消失させるように切削した切削部によりなることを特徴とする請求項１記載のコネクタ付き光ケーブルの端部構造。
【発明の詳細な説明】
【０００１】
【発明の属する技術分野】
本発明は、コネクタ付き光ケーブルを布設するために、その光ケーブルの端部に設けられるコネクタ付き光ケーブルの端部構造に係わり、特に、牽引等での高い張力に対するケーブルの耐力を向上することができるコネクタ付き光ケーブルの端部構造に関する。
【０００２】
【従来の技術】
例えば、加入者系光通信網を構築するために、コネクタ付き光ケーブルを布設する場合には、その光ケーブルの端部に牽引具を装着し、その牽引具を牽引するようにして、その布設が行なわれる。
【０００３】
図５は、従来の牽引具を装着したコネクタ付き光ケーブルの端部構造の一例を示す図であり、コネクタ付き光ケーブル１０は、中心に配されたテンションメンバー１と、テンションメンバー１の周囲に固設され、外周面に心線収納溝２ａが螺旋状に形成されたスロット２と、スロット２の周囲を被覆するシース３と、心線収納溝２ａに配され、心線収納溝２ａの端から導出され、端部にコネクタ５が装着された、複数の心線を内包する帯状のテープ心線６とから構成されている。
【０００４】
コネクタ付き光ケーブル１０の端部には、端部部品である牽引具２０が構成されており、牽引具２０は、保護筒２１ａと貫通穴を持つ先端キャップ２１ｂによって有底円筒状に形成される外装管２１と、外装管２１の内部の開口端側（図５左端側）に配され、コネクタ付き光ケーブル１０端部のシース３を挟持する内筒２３及び外筒２４と、テンションメンバー１が連結される連結部２５と、一端（図５右端）に設けられた牽引筒２６ａが先端キャップ２１ｂの貫通穴に固定され且つその貫通穴から突出され、他端（図５左端）が連結部２５に固定された牽引線２６と、牽引線２６上のケーブル１０端部側部分に保持され、該ケーブル１０のテープ心線６の余長部を収納する余長収納部２７と、コネクタ付き光ケーブル１０のテープ心線６の端部のコネクタ５を収納するコネクタ収納部２８と、牽引線２６上に保持され、コネクタ収納部２８を保護するコネクタ保護板２９からなっている。
【０００５】
【発明が解決しようとする課題】
ところで、最近、次世代の加入者系通信網の構築に向け、布設工法の省力化が進められており、その一つに、コネクタ付き光ケーブル１０の牽引箇所の減少を目的とした長尺布設が検討されている。ところが、そのように長尺布設を行なうと、布設路中のコーナー部の数が増加する等の理由で牽引抵抗が増加するため、コネクタ付き光ケーブル１０の牽引に従来より大きな牽引張力が必要になる。
【０００６】
ところが、上述したような従来のコネクタ付き光ケーブルの端部構造では、そのように大きな牽引張力が加わると、コネクタ付き光ケーブル１０において、直接的に牽引張力を受けるテンションメンバー１、テンションメンバー１に固設されたスロット２等が伸長するのに対し、スロット２の心線収納溝２ａに収納されたテープ心線６は、ほとんど伸びないため、テープ心線６が見掛け上、スロット２の心線収納溝２ａ内に呑み込まれるという現象が顕著となる。
【０００７】
すると、牽引具２０の余長収納部２７に収納されたコネクタ付き光ケーブル１０のテープ心線６の余長部が多量に引き込まれるという不都合を生じるので、ケーブル１０の耐力向上を検討する必要がある。
【０００８】
本発明は、上記事情に鑑み、牽引等での高い張力に対するケーブルの耐力を向上することができるコネクタ付き光ケーブルの端部構造を提供することを目的としている。
【０００９】
【課題を解決するための手段】
請求項１記載のコネクタ付き光ケーブルの端部構造は、テンションメンバーと、テンションメンバーの周囲に固設され、外周面に心線収納溝が形成されたスロットと、スロットの周囲を被覆するシースと、心線収納溝に配され、心線収納溝の端から導出され、端部にコネクタが装着された心線とを備えるコネクタ付き光ケーブルにおいて、テンションメンバー及びシースに端部部品が装着されたコネクタ付き光ケーブルの端部構造であって、前記コネクタ付き光ケーブルの端部に露出されたスロットに、前記テンションメンバーに固定されたフィルム巻回部が設けられ、前記フィルム巻回部の外周面には、両面に滑り止め加工が施された滑り止めフィルムが巻回され、巻回によって複数層とされた前記滑り止めフィルムの層間に、前記心線が挟持されていることを特徴とする。
【００１０】
即ち、テンションメンバーに固定されたフィルム巻回部に両面に滑り止め加工が施された滑り止めフィルムが設けられ、その滑り止めフィルムに、心線が挟持されているので、心線は、その滑り止めフィルムとの摩擦抵抗によりテンションメンバーに対する支持力を得る。よって、例えばコネクタ付き光ケーブルの牽引時等、そのケーブルに高い張力が加わった場合の心線の呑み込み量を抑制することができる。
【００１１】
請求項２記載のコネクタ付き光ケーブルの端部構造は、請求項１記載のコネクタ付き光ケーブルの端部構造であって、フィルム巻回部が、スロットの外周面から心線収納溝を消失させるように切削した切削部によりなることを特徴とする。
【００１２】
即ち、フィルム巻回部が、スロットの外周面から心線収納溝を消失させるように切削した切削部によりなるので、部品点数の低減を図ることができる。
【００１３】
【発明の実施の形態】
以下、本発明の一実施形態を図面に基づき説明する。尚、本実施形態は、図５に示す従来のコネクタ付き光ケーブルの端部構造において、そのコネクタ付き光ケーブルの端部に、テープ心線呑み込み防止構造を設けたものであり、その他の構成は同一とした。従って、同一部分については、同一符号を付すと共に、その説明を省略する。
【００１４】
図１に示すように、本実施形態のコネクタ付き光ケーブルの端部構造のコネクタ付き光ケーブル５０の端部は、シース３からスロット２が突出されており、スロット２の外周面に多数形成された心線収納溝２ａには、それぞれ、複数の心線を内包する帯状のテープ心線６が、多数、径方向に積層され、収納されている。そのテープ心線６は、スロット２の端から導出されており、図５に示すようにテープ心線６の端部にコネクタ５が装着され、コネクタ収納部２８に収納されている。また、テープ心線６の余長部は、余長収納部２８に収納されており、図１に示すように、スロット２の端面の中心からは、テンションメンバー１が突出されて、そのテンションメンバー１は、図５に示す連結部２５、牽引線２６を介して牽引部２１ａに接続されている。
【００１５】
さて、前記テープ心線呑み込み防止構造は、以下のように構成されている。即ち、図１に示すように、スロット２の端部は、心線収納溝２ａを消失させるようにその外周面２ｂが切削されてフィルム巻回部５１が形成されており、フィルム巻回部５１の外周面には、滑り止めフィルム５２が多数回にわたって巻回されている。滑り止めフィルム５２は、図４に示すように、薄肉のプラスチックフィルム５２ａと、そのプラスチックフィルム５２ａの両面にコーティングされた発泡型軟質ポリマー５２ｂ、５２ｂとからなっている。プラスチックフィルム５２ａは、摂氏マイナス４０度から摂氏プラス７０度で安定した特性を有するものであり、滑り止めフィルム５２の厚みは、０．３ｍｍ程度である。
【００１６】
また、その滑り止めフィルム５２の内側の層間には、心線収納溝２ａの底部に配置された即ち一層目のテープ心線６が配され、滑り止めフィルム５２の前記層間より外方の層間には、二層目のテープ心線６が配され、滑り止めフィルム５２の更に外方の層間には、三層目のテープ心線６が配され、そのように各層のテープ心線６が、それぞれ滑り止めフィルム５２の各層間に挟持されている。また、そのように巻回された滑り止めフィルム５２は、図示しない固定テープにより固定されている。
【００１７】
本実施形態のコネクタ付き光ケーブルの端部構造は以上のような構成を有するので、テープ心線呑み込み防止構造の形成は次のようにして簡易に行なうことができる。まず、図２に示すように、スロット２の端部の外周面２ｂを、心線収納溝２ａを消失させるように切削して、その切削部にフィルム巻回部５１を形成する。次に、図３に示すように、そのスロット２のフィルム巻回部５１の外周面に、滑り止めフィルム５２を二回りほど巻回して、この滑り止めフィルム５２の端部をフィルム巻回部５１に固定する。そこで、図１に示すように心線収納溝２ａの径方向に積層されたテープ心線６の最も内側、即ち、心線収納溝２ａの底部に配置された第一層のテープ心線６を、各心線収納溝２ａから滑り止めフィルム５２の、巻回された部分に配置し、その後、滑り止めフィルム５２を巻回して、第一層のテープ心線６を、滑り止めフィルム５２の層間に挟持させる。次に、第二層のテープ心線６を、滑り止めフィルム５２の、巻回された部分に配置し、滑り止めフィルム５２を巻回して、滑り止めフィルム５２の次の層間に挟持させる。第三層以上のテープ心線６も同様にしてそれぞれ滑り止めフィルム５２の各層間に挟持させる。また、そのように巻回された滑り止めフィルム５２は、固定用のテープ（図示せず）が巻回貼着されて固定される。これにより、テープ心線呑み込み防止構造は形成されるので、その施工を簡便に行なうことができる。
【００１８】
そして、このテープ心線呑み込み防止構造を設けることにより、テープ心線６は、その滑り止めフィルム５２の発泡型軟質ポリマー５２ｂとの摩擦抵抗で、スロット２を介してテンションメンバー１に対する支持力を得ることができる。よって、コネクタ付き光ケーブル５０の牽引時のテープ心線６の呑み込み量を抑制することができる。従って、呑み込み時にテープ心線６の一部に応力集中が生じて、テープ心線６が破損する等の万一の事故をも防止することができる。即ち、牽引等での高い張力に対するケーブル１０の耐力を向上することができる。
【００１９】
尚、テープ心線６と滑り止めフィルム５２との静摩擦抵抗は、テープ心線６がその許容引張応力に匹敵する過大な牽引張力がコネクタ付き光ケーブル５０に加わった場合には、テープ心線６が呑み込まれる程度に設定されている。これにより、テープ心線６の単純引張りによる破損を防止している。
【００２０】
また、上記実施形態では、テープ心線呑み込み防止構造を設けても、滑り止めフィルム５２の厚みが０．３ｍｍと薄いので、コネクタ付き光ケーブル５０端部の径を殆ど変化させない。よって、コネクタ付き光ケーブル５０端部のコンパクト化を図ることができる。
【００２１】
また、布設路のコーナー部での牽引の際にコネクタ付き光ケーブル５０端部が曲折した場合には、スロット２の心線収納溝２ａに積層収納されたテープ心線６は、その径方向の積層位置ごとに加えられる引き込み力が異なってくるが、本実施形態では、テープ心線６を層毎に挟持しているので、各層のテープ心線６にバランス良く支持力を与えることができる。
【００２２】
尚、フィルム巻回部５１は、必ずしも、スロット２の切削部によりなる必要はなく、スロット２の端面側に、筒状のフィルム巻回部をテンションメンバー１に固定して設けるようにしてもよい。但し、上記実施形態では、フィルム巻回部５１を、スロット２の切削部で構成したので、部品点数の低減を図ることができ、施工を簡便に行なうことができる。また、引いては、牽引作業の簡便化を図ることができる。
【００２３】
また、上記実施形態では、図５に示すコネクタ付き光ケーブル１０の端部に装着される端部部品を牽引具２０とした場合について説明したが、その端部部品をクロージャとしても、そのケーブル１０に張力が加わった場合にテープ心線６の保護を図ることができることは勿論である。
【００２４】
【発明の効果】
請求項１記載のコネクタ付き光ケーブルの端部構造によれば、コネクタ付き光ケーブルの牽引時等の、そのケーブルに高い張力が加わった際の心線の呑み込み量を抑制することができるので、心線の破損を防止することができる。よって、牽引等での高い張力に対するケーブルの耐力を向上することができる。
【００２５】
請求項２記載のコネクタ付き光ケーブルの端部構造によれば、部品点数の低減を図ることができるので、施工を簡便に行なうことができる。
【図面の簡単な説明】
【図１】  本発明のコネクタ付き光ケーブルの端部構造の一実施形態の要部を示す図である。
【図２】  図１のコネクタ付き光ケーブルの端部構造の形成過程を示す図であり、コネクタ付き光ケーブルのスロットの端部を、その外周面から心線収納溝が消失するように切削してフィルム巻回部を形成した状態を示す図である。
【図３】  図１のコネクタ付き光ケーブルの端部構造の形成過程を示す図であり、フィルム巻回部に滑り止めフィルムを巻回している状態を示す図である。
【図４】  図１の滑り止めフィルムを示す図である。
【図５】  従来のコネクタ付き光ケーブルの端部構造の一例を示す図である。
【符号の説明】
１…テンションメンバー
２…スロット
２ａ…心線収納溝
２ｂ…外周面
３…シース
５…コネクタ
６…テープ心線（心線）
２０…牽引具（端部部品）
５０…コネクタ付き光ケーブル
５１…フィルム巻回部
５２…滑り止めフィルム
【図１】
0003660028.tif 000002
【図２】
0003660028.tif 000003
【図３】
0003660028.tif 000004
【図４】
0003660028.tif 000005
【図５】
0003660028.tif 000006